(57)【要約】【課題】サービス施設の予約を検討しているユーザの時限的かつ不確定な仮予約を許容しながら、本予約の成立率を極力高めること。【解決手段】情報処理装置は、記憶手段と通信手段と制御手段とを有する。記憶手段は、複数のサービス施設に関する施設情報を記憶する。通信手段は、上記各サービス施設の施設端末及び複数のユーザ端末と通信可能である。制御手段は、上記各ユーザ端末からいずれかのサービス施設に対して本予約を要求する本予約要求または時限的な予約である仮予約を要求する仮予約要求を受信する。また制御手段は、上記本予約要求に基づいて、当該サービス施設の施設端末に予約確定を要求する予約確定通知を送信し、上記仮予約要求に基づいて、当該サービス施設の施設端末に上記仮予約を所定の維持期間だけ維持するよう要求する仮予約維持通知を送信し、上記予約確定の状況に応じて、上記維持期間を変更することが可能である。【選択図】図４
2020187800.tif 000002
【特許請求の範囲】
【請求項１】
複数のサービス施設に関する施設情報を記憶する記憶手段と、
前記各サービス施設の施設端末及び複数のユーザ端末と通信可能な通信手段と、
前記各ユーザ端末からいずれかのサービス施設に対して本予約を要求する本予約要求または時限的な予約である仮予約を要求する仮予約要求を受信し、
前記本予約要求に基づいて、当該サービス施設の施設端末に予約確定を要求する予約確定通知を送信し、
前記仮予約要求に基づいて、当該サービス施設の施設端末に前記仮予約を所定の維持期間だけ維持するよう要求する仮予約維持通知を送信し、
前記仮予約要求の受付後の、当該仮予約と同日またはその前後日を予約日とする本予約の予約確定率が所定の閾値未満である期間が所定期間以上である場合に、前記維持期間を延長する
ことが可能な制御手段と
を具備する情報処理装置。
【請求項２】
請求項１に記載の情報処理装置であって、
前記制御手段は、前記仮予約要求の受付後の、当該仮予約と同日またはその前後日を予約日とする本予約の予約確定率の上昇に応じて前記維持期間を短縮する
情報処理装置。
【請求項３】
請求項１または２に記載の情報処理装置であって、
前記制御手段は、前記予約確定率が所定の閾値未満である期間の長さに応じて、前記維持期間を延長する
情報処理装置。
【請求項４】
請求項１乃至３のいずれかに記載の情報処理装置であって、
前記記憶手段は、前記仮予約要求の送信元のユーザ端末のユーザによる過去の仮予約及び本予約並びにそれらの取消を含む予約履歴情報を記憶し、
前記制御手段は、前記ユーザの過去の仮予約に基づく本予約確定率に応じて前記維持期間を短縮または延長する
情報処理装置。
【請求項５】
複数のサービス施設に関する施設情報を記憶する記憶し、
ユーザ端末からいずれかのサービス施設に対して本予約を要求する本予約要求または時限的な予約である仮予約を要求する仮予約要求を受信し、
前記本予約要求に基づいて、当該サービス施設の施設端末に予約確定を要求する予約確定通知を送信し、
前記仮予約要求に基づいて、当該サービス施設の施設端末に前記仮予約を所定の維持期間だけ維持するよう要求する仮予約維持通知を送信し、
前記仮予約要求の受付後の、当該仮予約と同日またはその前後日を予約日とする本予約の予約確定率が所定の閾値未満である期間が所定期間以上である場合に、前記維持期間を延長する
情報処理方法。
【請求項６】
情報処理装置に、
複数のサービス施設に関する施設情報を記憶する記憶するステップと、
ユーザ端末からいずれかのサービス施設に対して本予約を要求する本予約要求または時限的な予約である仮予約を要求する仮予約要求を受信するステップと、
前記本予約要求に基づいて、当該サービス施設の施設端末に予約確定を要求する予約確定通知を送信するステップと、
前記仮予約要求に基づいて、当該サービス施設の施設端末に前記仮予約を所定の維持期間だけ維持するよう要求する仮予約維持通知を送信するステップと、
前記仮予約要求の受付後の、当該仮予約と同日またはその前後日を予約日とする本予約の予約確定率が所定の閾値未満である期間が所定期間以上である場合に、前記維持期間を延長するステップと
を実行させるプログラム。
【発明の詳細な説明】
【技術分野】
【０００１】
本発明は、飲食店や宿泊施設等のサービス施設の予約に関する処理を実行可能な情報処理装置、情報処理方法及びプログラムに関する。
【背景技術】
【０００２】
従来から、飲食店の仮予約（所定の条件により取消または破棄される予約）を受付可能なシステムが存在する。下記特許文献１には、宿泊施設や飲食店の予約に際し、ユーザが指定の位置以外の場所から予約を申し込んだ場合にはそれを仮予約として受け付け、例えば２４時間以内に指定の位置から再度の予約の電話が無ければ仮予約が破棄されることが開示されている。
【先行技術文献】
【特許文献】
【０００３】
【特許文献１】特開２０１４−００６６４２号公報
【発明の概要】
【発明が解決しようとする課題】
【０００４】
しかしながら、この技術では、ユーザには予約の意思があるにも関わらず、たまたま電話を忘れていた場合等には、仮にそのユーザ以外にその予約時間帯に予約を希望するユーザが存在しなかったとしても、２４時間が経過すると一律に予約は破棄されてしまい、店側は、その予約時間帯における集客の機会を失ってしまう。
【０００５】
以上のような事情に鑑み、本発明の目的は、サービス施設の予約を検討しているユーザの時限的かつ不確定な仮予約を許容しながら、本予約の成立率を極力高めることが可能な情報処理装置、情報処理方法及びプログラムを提供することにある。
【課題を解決するための手段】
【０００６】
上記目的を達成するため、本発明の一形態に係る情報処理装置は、記憶手段と、通信手段と、制御手段とを有する。上記記憶手段は、複数のサービス施設に関する施設情報を記憶する。上記通信手段は、上記各サービス施設の施設端末及び複数のユーザ端末と通信可能である。上記制御手段は、上記各ユーザ端末からいずれかのサービス施設に対して本予約を要求する本予約要求または時限的な予約である仮予約を要求する仮予約要求を受信する。また制御手段は、上記本予約要求に基づいて、当該サービス施設の施設端末に予約確定を要求する予約確定通知を送信し、上記仮予約要求に基づいて、当該サービス施設の施設端末に上記仮予約を所定の維持期間だけ維持するよう要求する仮予約維持通知を送信し、上記予約確定の状況に応じて、上記維持期間を変更することが可能である。
【０００７】
これにより情報処理装置は、仮予約を所定の維持期間だけ維持することでユーザに時限的かつ不確定な予約を許容しながら、本予約確定状況に応じて維持期間を増減させて確定予約を優先的に受付可能としたり仮予約を優先的に維持したりすることで、全体としての本予約の成立率を極力高めることができる。ここで所定の維持期間とは、例えば１日、２日、３日、１週間等であるが、これらに限られない。
【０００８】
上記制御手段は、上記仮予約要求の受付後の、当該仮予約と同日またはその前後日を予約日とする本予約の予約確定率の上昇に応じて上記維持期間を短縮してもよい。
【０００９】
これにより情報処理装置は、仮予約日及びその前後日における本予約の確定率が高い場合には、さらに本予約が入る可能性が高いとみなして、仮予約の維持期間を短縮し、本予約の確定可能性を高めることができる。
【００１０】
上記制御手段は、上記仮予約要求の受付後の、当該仮予約と同日またはその前後日を予約日とする本予約の予約確定率が所定の閾値未満である期間の長さに応じて、上記維持期間を延長してもよい。
【００１１】
これにより情報処理装置は、仮予約日及びその前後日における本予約の確定率が低いままの場合には、本予約よりも仮予約を継続して維持することで、仮予約が本予約として成立する可能性を高めることができる。
【００１２】
上記記憶手段は、上記仮予約要求の送信元のユーザ端末のユーザによる過去の仮予約及び本予約並びにそれらの取消を含む予約履歴情報を記憶してもよい。この場合上記制御手段は、上記ユーザの過去の仮予約に基づく本予約確定率に応じて上記維持期間を短縮または延長してもよい。
【００１３】
これにより情報処理装置は、仮予約要求を送信したユーザが過去に仮予約に基づいて本予約を確定した実績が高い場合には維持期間を延ばし、逆の場合には維持期間を短くすることで、より本予約を確定させる可能性の高いユーザを優先し、全体として本予約を確定できる可能性を高めることができる。
【００１４】
本発明の他の形態に係る情報処理方法は、
複数のサービス施設に関する施設情報を記憶する記憶し、
ユーザ端末からいずれかのサービス施設に対して本予約を要求する本予約要求または時限的な予約である仮予約を要求する仮予約要求を受信し、
上記本予約要求に基づいて、当該サービス施設の施設端末に予約確定を要求する予約確定通知を送信し、
上記仮予約要求に基づいて、当該サービス施設の施設端末に上記仮予約を所定の維持期間だけ維持するよう要求する仮予約維持通知を送信し、
上記予約確定の状況に応じて、上記維持期間を変更することを含む。
【００１５】
本発明の他の形態に係るプログラムは、情報処理装置に、
複数のサービス施設に関する施設情報を記憶する記憶するステップと、
ユーザ端末からいずれかのサービス施設に対して本予約を要求する本予約要求または時限的な予約である仮予約を要求する仮予約要求を受信するステップと、
上記本予約要求に基づいて、当該サービス施設の施設端末に予約確定を要求する予約確定通知を送信するステップと、
上記仮予約要求に基づいて、当該サービス施設の施設端末に上記仮予約を所定の維持期間だけ維持するよう要求する仮予約維持通知を送信するステップと、
上記予約確定の状況に応じて、上記維持期間を変更するステップとを実行させる。
【発明の効果】
【００１６】
以上説明したように、本発明によれば、サービス施設の予約を検討しているユーザの時限的かつ不確定な仮予約を許容しながら、本予約の成立率を極力高めることができる。しかし、当該効果は本発明を限定するものではない。
【図面の簡単な説明】
【００１７】
【図１】本発明の一実施形態に係る飲食店情報提供システムの構成を示した図である。
【図２】本発明の一実施形態に係る飲食店情報提供サーバのハードウェア構成を示した図である。
【図３】本発明の一実施形態に係る飲食店情報提供サーバが有するデータベースの構成を示した図である。
【図４】本発明の一実施形態に係る飲食店情報提供サーバによる、飲食店予約処理の流れを示したフローチャートである。
【発明を実施するための形態】
【００１８】
以下、図面を参照しながら、本発明の実施形態を説明する。本実施形態では、サービス施設が飲食店である場合について説明する。
【００１９】
［システムの構成］
図１は、本実施形態に係る飲食店情報提供システムの構成を示した図である。
【００２０】
同図に示すように、このシステムは、インターネット５０上の飲食店情報提供サーバ１００と、複数のユーザ端末２００と、複数の飲食店端末とを含む。
【００２１】
飲食店情報提供サーバ１００は、飲食店に関する情報を掲載したポータルサイトを運営するウェブサーバである。飲食店情報提供サーバ１００は、複数のユーザ端末２００とインターネット５０を介して接続されている。
【００２２】
飲食店情報提供サーバ１００は、上記ポータルサイトにおいて、ユーザ端末２００のユーザ向けに飲食店情報の検索システムを提供する。具体的には、飲食店情報提供サーバ１００は、ユーザ端末２００からの検索要求に基づいて検索条件に合致する飲食店情報を検索し、検索結果を掲載したＷｅｂページを生成してユーザ端末２００へ送信する。
【００２３】
ユーザ端末２００（２００Ａ，２００Ｂ，２００Ｃ...）は、ユーザにより使用される端末であり、例えばスマートフォン、携帯電話、タブレットＰＣ（Personal Computer）、ノートブックＰＣ、デスクトップＰＣ等である。ユーザ端末２００は、飲食店情報提供サーバ１００へアクセスし、上記Ｗｅｂページを受信してブラウザ等により画面に表示する。
【００２４】
ユーザ端末２００は、ユーザの操作に基づいて飲食店の検索条件を決定し、当該検索条件に基づく飲食店検索要求を飲食店情報提供サーバ１００へ送信する。本実施形態では、飲食店の所在エリア（最寄駅）やジャンル、価格帯等、予め設定された検索条件をユーザ端末２００のユーザが選択することで検索要求の送信が可能である。
【００２５】
飲食店端末３００（３００Ａ，３００Ｂ，３００Ｃ...）は、各飲食店の例えば管理者によって使用される端末であり、例えばスマートフォン、携帯電話、タブレットＰＣ（Personal Computer）、ノートブックＰＣ、デスクトップＰＣ等である。飲食店端末３００は、飲食店情報提供サーバ１００との間で、例えば上記ユーザ端末２００のユーザによる飲食店のテーブルまたは席の予約に関する情報をやり取り可能である。
【００２６】
本実施形態では、飲食店情報提供サーバ１００は、各飲食店の通常の予約（本予約）の受付処理を代行するほか、時限的な（所定の維持期間が終了すると取り消される）予約である仮予約を受付可能である。仮予約は、上記維持期間が終了するまでは、本予約と同等に扱われる。そして、上記仮予約の維持期間は、上記本予約の確定状況に応じて変更される。
【００２７】
［飲食店情報提供サーバのハードウェア構成］
図２は、上記飲食店情報提供サーバ１００のハードウェア構成を示した図である。同図に示すように、飲食店情報提供サーバ１００は、ＣＰＵ（Central Processing Unit）１１、ＲＯＭ（Read Only Memory）１２、ＲＡＭ（Random Access Memory）１３、入出力インタフェース１５、及び、これらを互いに接続するバス１４を備える。
【００２８】
ＣＰＵ１１は、必要に応じてＲＡＭ１３等に適宜アクセスし、各種演算処理を行いながら飲食店情報提供サーバ１００の各ブロック全体を統括的に制御する。ＲＯＭ１２は、ＣＰＵ１１に実行させるＯＳ、プログラムや各種パラメータなどのファームウェアが固定的に記憶されている不揮発性のメモリである。ＲＡＭ１３は、ＣＰＵ１１の作業用領域等として用いられ、ＯＳ、実行中の各種アプリケーション、処理中の各種データを一時的に保持する。
【００２９】
入出力インタフェース１５には、表示部１６、操作受付部１７、記憶部１８、通信部１９等が接続される。
【００３０】
表示部１６は、例えばＬＣＤ（Liquid Crystal Display）、ＯＥＬＤ（Organic ElectroLuminescence Display）、ＣＲＴ（Cathode Ray Tube）等を用いた表示デバイスである。
【００３１】
操作受付部１７は、例えばマウス等のポインティングデバイス、キーボード、タッチパネル、その他の入力装置である。操作受付部１７がタッチパネルである場合、そのタッチパネルは表示部１６と一体となり得る。
【００３２】
記憶部１８は、例えばＨＤＤ（Hard Disk Drive）や、フラッシュメモリ（ＳＳＤ；Solid State Drive）、その他の固体メモリ等の不揮発性メモリである。当該記憶部１８には、上記ＯＳや各種アプリケーション、各種データが記憶される。
【００３３】
特に本実施形態では、記憶部１８は、ユーザ端末２００から受信した、本予約要求及び仮予約要求に関する情報等を記憶するとともに、これらのデータを用いて飲食店情報提供サーバ１００が予約／仮予約処理及び維持期間の変更処理を実行するためのアプリケーションその他のプログラムを記憶している。後述するが、記憶部１８は、そのようなデータを含むデータベースとして、飲食店情報データベース、ユーザ情報データベース、及び本予約／仮予約情報データベースを有している。
【００３４】
通信部１９は、例えばEthernet用のＮＩＣ（Network Interface Card）や無線ＬＡＮ等の無線通信用の各種モジュールであり、上記ユーザ端末２００との間の通信処理を担う。
【００３５】
なお、図示しないが、ユーザ端末２００及び飲食店端末３００の基本的なハードウェア構成も上記飲食店情報提供サーバ１００のハードウェア構成と略同様である。
【００３６】
［飲食店情報提供サーバのデータベース構成］
図３は、上記飲食店情報提供サーバ１００が有するデータベースの構成を示した図である。
【００３７】
同図に示すように、飲食店情報提供サーバ１００は、記憶部１８に、飲食店情報データベース３１、ユーザ情報データベース３２、及び本予約／仮予約情報データベース３３を有している。
【００３８】
飲食店情報データベース３１は、飲食店毎に、その飲食店の店名や所在位置情報、その飲食店を識別するＩＤ（店舗ＩＤ）の他、その飲食店の業態・サービスのカテゴリ情報、その飲食店を紹介する内容、すなわち、店舗のＰＲ文等の店舗の特徴を示す情報、飲食店が行うイベント情報、飲食店が立地しているエリア情報、飲食店の住所、電話番号、飲食店に関する（飲食店を紹介する）画像データ、飲食店が提供するメニューに関するメニュー情報、営業時間、ウェブサイトＵＲＬ等の情報を記憶している。
【００３９】
上記メニュー情報は、上記ポータルサイト上の各飲食店のサイトに掲載されるメニューに対応する情報であり、各飲食店が提供可能な複数のメニューのメニュー名を、飲食店毎に記憶している。当該メニュー情報は、例えば前菜／メイン、ランチ／ディナー／コース等のメニューカテゴリ毎に記憶されてもよい。また上記画像データがメニューに対応するものである場合には、当該画像データはメニュー情報と対応付けられて記憶される。
【００４０】
上記エリア情報は、例えば都道府県単位のものであるが、市区町村等のより狭い範囲の単位でも情報が記憶されてもよい。上記カテゴリ情報は、例えば和食、中華、イタリアン、フレンチ、焼肉等のメインカテゴリの他、和食における焼き鳥・天ぷら等、イタリアンにおけるパスタ・ピザ等のより詳細なサブカテゴリを含んでいてもよい。
【００４１】
ユーザ情報データベース３２は、ユーザ端末２００を所有する、上記飲食店情報提供サーバ１００が提供する上記ポータルサイトを介した飲食店情報サービスの利用者（会員）であるユーザに関する情報を記憶する。具体的には、ユーザ情報データベース３２は、ユーザＩＤ、パスワード、氏名、メールアドレス、電話番号、住所、年齢（層）、性別、誕生日、過去の本予約／仮予約履歴情報等の情報をユーザ毎に記憶している。
【００４２】
本予約／仮予約情報データベース３３は、上記ユーザ端末２００から受信した、予約日がまだ到来していない各飲食店の本予約要求または仮予約要求に含まれる予約情報（例えば、飲食店名、予約時刻、利用人数、利用コース等）を、上記ユーザ端末２００のユーザを識別するユーザ情報と対応付けて記憶する。
【００４３】
また本予約／仮予約情報データベース３３は、仮予約毎に、その維持期間を示す維持期間情報を記憶している。上述したように、当該維持期間は、本予約の確定状況に応じて変更され、維持期間情報は、当該変更後の維持期間に応じて随時更新される。
【００４４】
これら各データベースは、後述する飲食店情報提供サーバ１００による飲食店情報提供処理において、必要に応じて相互に参照されて用いられる。
【００４５】
［飲食店情報提供サーバの動作］
次に、以上のように構成された飲食店情報提供サーバ１００の動作について説明する。当該動作は、飲食店情報提供サーバ１００のＣＰＵ１１及び通信部１９等のハードウェアと、記憶部１８に記憶されたソフトウェアとの協働により実行される。以下の説明では、便宜上、ＣＰＵ１１を動作主体とする。
【００４６】
図４は、飲食店情報提供サーバ１００による、飲食店の予約処理の流れを示したフローチャートである。以下では、特に飲食店の仮予約及びそれに基づく本予約処理について説明する。
【００４７】
同図に示すように、飲食店情報提供サーバ１００のＣＰＵ１１は、まず、ユーザ端末１００から、上記ポータルサイト上の飲食店情報一覧等を介して、ある飲食店に対する仮予約要求を受信したか否かを判断する（ステップ４１）。図示しないが、ここでは、上記飲食店情報一覧において、本予約を要求するためのユーザインタフェース（例えば、予約ボタン）とは別に、仮予約を要求するためのユーザインタフェースが（例えば、仮予約ボタン）が設けられている場合を想定する。
【００４８】
上記仮予約要求を受信したと判断した場合（Ｙｅｓ）、ＣＰＵ１１は、当該仮予約要求に含まれる予約情報（例えば、飲食店名、予約時刻、利用人数、利用コース等）を、上記ユーザ端末２００のユーザＩＤ等のユーザ情報と対応付けて記憶する（ステップ４２）。
【００４９】
続いてＣＰＵ１１は、上記仮予約要求の予約情報とともに、当該仮予約を所定の維持期間だけ維持するよう要求する仮予約維持要求を仮予約対象の飲食店の飲食店端末３００へ送信する（ステップ４３）。ここで所定の維持期間は、例えば１日、２日、３日、１週間等であるが、これらに限られない。
【００５０】
続いてＣＰＵ１１は、上記本予約／仮予約情報データベース３３を参照して、上記仮予約の予約日（仮予約日）と同一の日を予約日とする本予約のその時点における予約確定率（予約可能な席（またはテーブル）数に対する本予約を受け付けた席（またはテーブル）の割合）を算出する（ステップ４４）。
【００５１】
続いてＣＰＵ１１は、上記仮予約の受付時から上記本予約の予約確定率が上昇したか否かを判断する（ステップ４５）。なお、上記予約確定率を初めて算出した場合には当該判断はＮｏとなる。
【００５２】
上記本予約の予約確定率が上昇したと判断した場合（Ｙｅｓ）、ＣＰＵ１１は、当該予約確定率の上昇率に応じて、上記仮予約の維持期間を短縮し、当該短縮された維持期間を示す情報を上記飲食店端末３００へ送信する（ステップ４６）。予約確定率の上昇率に応じた維持期間の短縮は、例えば、当初の維持期間を、上昇率と同じ割合だけ短縮するものであってもよいし、上昇率に複数の段階（例えば１０％毎、２０％毎等）を設定し、当該段階毎に割り当てられた時間（例えば上昇率１０％毎に６時間等）だけ維持期間を短縮するものであってもよい。
【００５３】
ここで、本予約の予約確定率の上昇率に応じて維持期間を短縮するのは、仮予約日において本予約の予約確定率が上昇している事実から、さらなる本予約の確定が見込まれることから、仮予約よりもユーザがより確実に来店するであろう本予約の受付を優先するためである。
【００５４】
一方、本予約の予約確定率が上昇していないと判断した場合（Ｎｏ）、ＣＰＵ１１は、上記仮予約受付後における上記本予約の予約確定率が所定の閾値未満か否かを判断する（ステップ４７）。所定の閾値は例えば２０％、３０％等であるがこれらに限られない。
【００５５】
上記本予約の予約確定率が上記閾値未満であると判断した場合（Ｙｅｓ）、ＣＰＵ１１は、当該予約確定率が上記閾値未満である期間の長さに応じて、上記仮予約の維持期間を延長し、当該延長された維持期間を示す情報を上記飲食店端末３００へ送信する（ステップ４８）。
【００５６】
上記予約確定率が上記閾値未満である期間（以下、予約停滞期間ともいう）の長さに応じた維持期間の延長は、例えば、当該予約停滞期間が１日であれば維持期間を１日延長し、予約停滞期間が２日であれば維持期間を２日延長するというように、予約停滞期間と同じ期間だけ維持期間を延長するものであってもよいし、予約停滞期間と維持期間の延長期間とを予め対応付けて設定しておき、当該対応付けに基づいて延長するものであってもよい。
【００５７】
ここで、本予約の予約停滞期間の長さに応じて維持期間を延長するのは、仮予約日において本予約の予約確定率が長期間停滞している事実から、今後も本予約の確定率の上昇はあまり見込めないため、見込みの薄い未定の本予約よりも、既に受付済みの仮予約の維持を優先してその仮予約を極力本予約として成立させることを優先するためである。
【００５８】
続いてＣＰＵ１１は、上記短縮または延長後の仮予約の維持期間、または当初の設定のままの仮予約の維持期間の終了時刻が到来したか否かを判断する（ステップ４９）。
【００５９】
仮予約維持期間の終了時刻が到来したと判断した場合（Ｙｅｓ）、ＣＰＵ１１は、上記本予約／仮予約情報データベース３３において仮予約取消を記録し、ユーザ端末２００及び飲食店端末３００へ仮予約取消通知を送信する（ステップ５０）。なお、当該仮予約取消の履歴は、ユーザの本予約／仮予約履歴の一部としてユーザ情報データベース３２に記憶され得る。
【００６０】
一方、ステップ４９において仮予約維持期間の終了時刻が到来していないと判断した場合（Ｎｏ）、ＣＰＵ１１は、上記仮予約要求を送信したユーザ端末２００から、本予約要求を受信したか否かを判断する（ステップ５１）。
【００６１】
ユーザ端末２００から本予約要求を受信したと判断した場合（Ｙｅｓ）、ＣＰＵ１１は、上記仮予約先の飲食店の飲食店端末３００へ上記仮予約要求元のユーザによる本予約要求を送信し（ステップ５２）、上記ユーザのユーザ端末２００へ、本予約完了通知を送信する（ステップ５３）。
【００６２】
一方、ステップ５１においてユーザ端末２００から本予約要求を受信していないと判断した場合（Ｎｏ）、ＣＰＵ１１は、ステップ４４に戻り、それ以降の処理を繰り返す。
【００６３】
［まとめ］
以上説明したように、本実施形態によれば、飲食店情報提供サーバ１００は、仮予約を所定の維持期間だけ維持することでユーザに時限的かつ不確定な予約を許容しながら、本予約確定状況に応じて維持期間を増減させて確定予約を優先的に受付可能としたり仮予約を優先的に維持したりすることで、全体としての本予約の成立率を極力高めることができる。
【００６４】
また、ユーザ端末２００のユーザは、飲食店情報提供サーバ１００へ一旦仮予約要求を送信した後は、変更された維持期間の通知を受けることで、いつまでに本予約を成立させる必要があるかを常に把握できるため、予約状況の確認のために飲食店情報提供サーバ１００へ何度もアクセスする必要がないことから、仮予約要求を許容しながらも、ユーザ端末２００と飲食店情報提供サーバ１００との間のトラフィックは最低限に抑えられ、飲食店情報提供サーバ１００に掛かる負荷が大きくなりすぎるのを防ぐことができる。
【００６５】
［変形例］
本発明は上述の実施形態にのみ限定されるものではなく、本開示の要旨を逸脱しない範囲内において種々変更され得る。
【００６６】
上述の実施形態では、上記仮予約日と同一の日を予約日とする本予約の予約確定率が算出された。しかし、飲食店情報提供サーバ１００は、これに加えて、またはこれに代えて、仮予約日の前後日（１日前、１日後、またはその両日）を予約日とする本予約の予約確定率を算出してもよい。
【００６７】
上述の実施形態においては、本予約の予約確定状況に応じて仮予約の維持期間が変更されたが、これに加えて、仮予約要求元のユーザの過去の仮予約及びそれに基づく本予約確定率に応じて上記維持期間が変更されてもよい。この場合、飲食店情報提供サーバ１００は、ユーザ情報データベース３２に記憶されたユーザの予約（本予約／仮予約）履歴情報（本予約／仮予約の取消情報も含む）を参照し、上記ユーザの過去の仮予約に基づく本予約確定率（上記過去の仮予約に基づく本予約確定率は、過去の本予約の総数に対して、仮予約に基づく本予約の数が占める割合）に応じて上記維持期間をさらに短縮または延長してもよい。この場合の短縮又は延長される期間は、上記本予約の予約確定状況に応じて変更される期間に比べて短い（例えば２５％、５０％等の所定割合）ものであってもよい。
【００６８】
具体的には、当該過去の仮予約に基づく本予約確定率が所定の第１の閾値よりも高い場合には、上記維持期間が所定時間延長され、過去の仮予約に基づく本予約確定率が所定の第２の閾値（第１の閾値よりも低い）よりも低い場合には、上記維持期間が所定時間短縮されてもよい。または、過去の仮予約に基づく本予約確定率について所定の基準値（例えば５０％）が設定され、当該基準値以上の確定率について複数の数値段階毎に所定の延長期間が設定され、当該基準値以下の確定率について複数の数値段階毎に所定の短縮期間が設定されてもよい。
【００６９】
これにより飲食店情報提供サーバ１００は、仮予約要求を送信したユーザが過去に仮予約に基づいて本予約を確定した実績が高い場合には維持期間を延ばし、逆の場合には維持期間を短くすることで、より本予約を確定させる可能性の高いユーザを優先し、全体として本予約を確定できる可能性を高めることができる。
【００７０】
上述の実施形態では、サービス施設として飲食店が例に挙げられたが、サービス施設は飲食店に限られず、例えば、ホテル・旅館等の宿泊施設、テニス、バスケットボール、ゴルフ等の各種スポーツ施設、カラオケ・ボーリング等の娯楽施設、マッサージ・エステ等の施術施設等の様々なサービス施設についても、本発明は同様に適用可能である。
【００７１】
本願の特許請求の範囲に記載された発明のうち、「情報処理方法」と記載された発明は、その各ステップを、ソフトウェアによる情報処理によりコンピュータ等の少なくとも１つの装置が自動的に行うものであり、人間がコンピュータ等の装置を用いて行うものではない。すなわち、当該「情報処理方法」は、コンピュータ・ソフトウェアによる情報処理方法であって、コンピュータという計算道具を人間が操作する方法ではない。
【符号の説明】
【００７２】
１１…ＣＰＵ
１８…記憶部
１９…通信部
３１…飲食店情報データベース
３２…ユーザ情報データベース
３２…本予約／仮予約情報データベース
１００…飲食店情報提供サーバ
２００…ユーザ端末
３００…飲食店端末
【図１】
2020187800.tif 000003
【図２】
2020187800.tif 000004
【図３】
2020187800.tif 000005
【図４】
2020187800.tif 000006